(57)【特許請求の範囲】
【請求項１】
所定の物理量を検出する物理量検出手段と、物理量検出手段で検出された物理量に基づき、異常の性状を判定する異常判断アルゴリズムを用いて異常か否かを判断する異常判断手段と、物理量検出手段で検出された物理量のレベルが所定のレベルを超えたか否かを判断するレベル判断手段と、異常判断手段に処理を行なわせるのか、または、レベル判断手段に処理を行なわせるのかを切替える切替手段とを有していることを特徴とする感知器。
【請求項２】
請求項１記載の感知器において、該感知器は、切替手段における切替えのタイミングを制御するタイミング制御手段をさらに有していることを特徴とする感知器。
【請求項３】
請求項１または請求項２記載の感知器において、レベル判断手段の判断処理に要する時間は、異常判断手段の判断処理に要する時間よりも短かいものであることを特徴とする感知器。
【請求項４】
請求項１記載の感知器において、前記切替手段は、感知器の試験時には、レベル判断手段に処理を行なわせるよう切替えることを特徴とする感知器。
【請求項５】
請求項２記載の感知器において、前記タイミング制御手段は、感知器の電源投入時、あるいは、受信機からの所定の信号入力時、あるいは、試験用治具からの特定の伝送信号入力時から、所定の試験期間を計時し、前記切替手段は、タイミング制御手段によって計時される所定の試験期間中、レベル判断手段に判断処理を行なわせることを特徴とする感知器。
【請求項６】
受信機と、受信機からの伝送路に接続され、受信機によって監視制御される感知器とを有している監視制御システムにおいて、前記感知器は、所定の物理量を検出する物理量検出手段と、物理量検出手段で検出された物理量に基づき、異常の性状を判定する異常判断アルゴリズムを用いて異常か否かを判断する異常判断手段と、物理量検出手段で検出された物理量のレベルが所定のレベルを超えたか否かを判断するレベル判断手段と、異常判断手段に処理を行なわせるのか、または、レベル判断手段に処理を行なわせるのかを切替える切替手段とを有していることを特徴とする監視制御システム。
【発明の詳細な説明】
【０００１】
【発明の属する技術分野】
本発明は、感知器および監視制御システムに関する。
【０００２】
【従来の技術】
従来、Ｐ型受信機からのＬ，Ｃ線路にオン・オフ型感知器を接続したＰ型システムが知られている。
【０００３】
ここで、オン・オフ型感知器は、一般に、検知した所定の物理量（例えば煙濃度）が所定レベル以下のときには、Ｌ，Ｃ線路間のインピーダンスを高インピーダンスの状態（オフの状態）に維持する一方、検知した所定の物理量（例えば煙濃度）が所定レベル以上のときには、Ｌ，Ｃ線路間のインピーダンスを低インピーダンスの状態（オンの状態）にすることによって、Ｐ型受信機に感知器の検知結果を通知するようになっている。
【０００４】
【発明が解決しようとする課題】
ところで、近年、オン・オフ型感知器として、感知器単体で、異常（例えば火災／非火災）の判断を行なうもの（異常判断アルゴリズム（例えば火災判断アルゴリズム）を用いたもの）が開発されている。図１はこのような判断機能を備えたオン・オフ型感知器の構成例を示す図である。図１を参照すると、この感知器１は、所定の監視条件で所定の物理量の監視を行なう第１の監視部１１と、第１の監視部１１で得られた所定の物理量に基づき異常（例えば火災）の性状（例えば火災性状）を判定する性状判定部１２と、性状判定部１２で得られた性状に応じた監視条件で異常（例えば火災）の性状に応じた監視を行なう第２の監視部１３と、第２の監視部１３からの監視結果に基づく信号を出力する出力部１４とを備えている。
【０００５】
ここで、第１の監視部１１としては、例えば、この感知器１が例えば光散乱式煙感知器である場合、発光素子から２種の異なる波長λ1，λ2の光を出射させ、発光素子から出射される２種の異なる波長λ1，λ2の光の煙などによる散乱光を受光素子で受光するような構成のものにすることができる。なお、この場合、第１の監視部１１は、例えば、当初は１種の波長（例えばλ1）の光の煙などによる散乱光だけを受光素子で受光し、この光強度，すなわち所定の物理量（煙濃度）が所定レベル以上となったか否かを監視し、所定レベル以上となったときに、２種の異なる波長λ1，λ2の光の煙などによる散乱光を受光素子で受光するように、これを構成できる。
【０００６】
そして、性状判定部１２は、例えば、異なる２波長λ1，λ2の散乱光出力の比(２波長比)をとり、この２波長比が予め設定された値の範囲に入っているか否かを判定することで、異常の性状（上記例では、煙の性状）を判断するようになっている。
【０００７】
異常の性状の判定は、より具体的には、ある特定の粒子径範囲にある粒子の種類を２波長比から割り出すことによってなされ、これにより、異常の性状として、例えば、▲１▼火災煙、▲２▼タバコの煙、▲３▼湯気、▲４▼塵埃、▲５▼その他、のいずれであるかを判定することが可能となる。すなわち、例えば、２波長比から小さな粒径と判断された場合、これは、例えば、▲１▼火災煙、であると判定され、また、２波長比から大きな粒径と判断された場合、これは、例えば、▲３▼湯気、であると判定されるようになっている。
【０００８】
そして、第２の監視部１３は、より具体的には、▲１▼火災煙、▲２▼タバコの煙、▲３▼湯気、▲４▼塵埃、▲５▼その他、に応じた監視（例えば、性状▲１▼，▲２▼，▲３▼，▲４▼，▲５▼に応じた監視期間Ｔ1，Ｔ2，Ｔ3，Ｔ4，Ｔ5での監視）を行なうようになっている。
【０００９】
例えば、性状判定部１２で性状として、▲１▼火災煙が得られた場合には、第２の監視部１３は、ノイズでないことだけを確認して、すぐに（監視期間を短時間にして）、環境異常（例えば火災）の信号を監視結果として出力部１４に与えるようになっている。
【００１０】
また、例えば、性状判定部１２で性状として、▲３▼湯気が得られた場合には、第２の監視部１３は、所定の監視期間Ｔ3（例えば２０秒間）にわたって、例えば粒子濃度が所定レベルを越えている状態が持続しているか否かを判断し、所定の監視期間Ｔ3（例えば２０秒間）の間、例えば粒子濃度が所定レベルを越えている状態が持続している場合には、環境異常（例えば火災）の信号を監視結果として出力部１４に与え、また、所定の監視期間Ｔ3（例えば２０秒間）の間で、例えば粒子濃度が所定レベルを越えている状態が持続しない場合（例えば、１０秒間でレベルが低下してしまった場合）には、環境異常はないとして（例えば非火災として）出力部１４には監視結果を送らないようになっている。
【００１１】
このように、第２の監視部１３は、例えば、性状▲１▼，▲２▼，▲３▼，▲４▼，▲５▼に応じて監視期間（監視条件）Ｔ1，Ｔ2，Ｔ3，Ｔ4，Ｔ5を変え、ある性状が得られたとき、この性状に応じた監視期間にわたって粒子濃度が所定レベルを越えている状態が持続しているか否かに基づき、監視結果を出力部１４に送るか、監視結果を出力部１４には送らないようになっている。
【００１２】
なお、図１の構成において、性状判定部１２，第２の監視部１３が、異常判断アルゴリズム（例えば火災判断アルゴリズム）を用いたものとなっている。
【００１３】
そして、出力部１４は、第２の監視部１３から監視結果が送られた場合に信号（１番目の信号の場合は、Ｒ1）を受信機２に向けて出力するようになっている。具体的に、出力部１４は、第２の監視部１３から監視結果が送られた場合にのみ、Ｌ，Ｃ線路間のインピーダンスを低下させて（オン状態にして）、受信機２に通知し、監視結果が送られない場合（非火災の場合）は、Ｌ，Ｃ線路間のインピーダンスを高インピーダンスの状態（オフ状態）に保持するようになっている。
【００１４】
このように、図１のオン・オフ型感知器１は、感知器単体で、例えば火災／非火災の判断を行なうので、受信機２における負担，誤報を低減することができる。
【００１５】
ところで、一般に、感知器（煙感知器）を試験（加煙試験）する場合、感知器にテストガス（例えばスプレー状のテストガス）を吹き付けて行なうが、この仕方で図１のオン・オフ型感知器１を試験する場合、テストガスの粒径と湯気の粒径とがほぼ同程度であることから、図１のオン・オフ型感知器１にテストガスを吹き付けると、性状判定部１２では▲３▼湯気と判定し、第２の監視部１３では、▲３▼湯気に応じた所定の監視期間Ｔ3（例えば２０秒間）にわたって監視を続けてしまう。これにより、試験を開始後、試験が終了するまでに（テストガスが吹き付けられてから結果が出力されるまでに）、相当の時間を要してしまう。
【００１６】
このように、火災／非火災などの判断機能（異常判断アルゴリズム（例えば火災判断アルゴリズム））を備えたオン・オフ型感知器では、試験（例えば加煙試験）に相当の時間を要してしまうという問題があった。
【００１７】
本発明は、異常判断の機能（例えば火災／非火災の判断を行なう機能）を備えた感知器であっても、試験時の試験時間を短縮することの可能な感知器および監視制御システムを提供することを目的としている。
【００１８】
【課題を解決するための手段】
上記目的を達成するために、請求項１記載の発明は、所定の物理量を検出する物理量検出手段と、物理量検出手段で検出された物理量に基づき、異常の性状を判定する異常判断アルゴリズムを用いて異常か否かを判断する異常判断手段と、物理量検出手段で検出された物理量のレベルが所定のレベルを超えたか否かを判断するレベル判断手段と、異常判断手段に処理を行なわせるのか、または、レベル判断手段に処理を行なわせるのかを切替える切替手段とを有していることを特徴としている。
【００１９】
また、請求項２記載の発明は、請求項１記載の感知器において、該感知器は、切替手段における切替えのタイミングを制御するタイミング制御手段をさらに有していることを特徴としている。
【００２０】
また、請求項３記載の発明は、請求項１または請求項２記載の感知器において、レベル判断手段の判断処理に要する時間は、異常判断手段の判断処理に要する時間よりも短かいものであることを特徴としている。
【００２３】
また、請求項４記載の発明は、請求項１記載の感知器において、前記切替手段は、感知器の試験時には、レベル判断手段に処理を行なわせるよう切替えることを特徴としている。
【００２４】
また、請求項５記載の発明は、請求項２記載の感知器において、前記タイミング制御手段は、感知器の電源投入時、あるいは、受信機からの所定の信号入力時、あるいは、試験用治具からの特定の伝送信号入力時から、所定の試験期間を計時し、前記切替手段は、タイミング制御手段によって計時される所定の試験期間中、レベル判断手段に判断処理を行なわせることを特徴としている。
【００２５】
また、請求項６記載の発明は、受信機と、受信機からの伝送路に接続され、受信機によって監視制御される感知器とを有している監視制御システムにおいて、前記感知器は、所定の物理量を検出する物理量検出手段と、物理量検出手段で検出された物理量に基づき、異常の性状を判定する異常判断アルゴリズムを用いて異常か否かを判断する異常判断手段と、物理量検出手段で検出された物理量のレベルが所定のレベルを超えたか否かを判断するレベル判断手段と、異常判断手段に処理を行なわせるのか、または、レベル判断手段に処理を行なわせるのかを切替える切替手段とを有していることを特徴としている。
【００２６】
【発明の実施の形態】
以下、本発明の実施形態を図面に基づいて説明する。図２は本発明に係る感知器の構成例を示す図である。図２を参照すると、この感知器３０は、煙濃度などの物理量を検出する物理量検出部３１と、物理量検出部３１で検出された物理量（例えば煙濃度）に基づき、例えば異常判断アルゴリズム（例えば火災判断アルゴリズム）を用いて火災などの異常か否かを判断する異常判断部３２と、物理量検出部３１で検出された物理量（例えば煙濃度）のレベルが所定のレベルを超えたか否かを判断するレベル判断部３３と、異常判断部３２に処理を行なわせるのか、または、レベル判断部３３に処理を行なわせるのかを切替える切替部３４と、異常判断部３２からの判断結果、または、レベル判断部３３からの判断結果に応じた信号を出力する出力部３５とを有している。
【００２７】
ここで、異常判断部３２は、異常判断アルゴリズム（例えば火災判断アルゴリズム）を用いて火災などの異常か否かを判断する場合、この判断処理には、所定の時間Ｔaを要する一方、レベル判断部３３は、物理量検出部３１で検出された物理量（例えば煙濃度）のレベルが所定のレベルを超えたか否かを判断するだけなので、この判断処理に要する時間Ｔbは、異常判断部３２の判断処理に要する時間Ｔaに比べて非常に短かい。
【００２８】
このことを利用し、切替部３４は、通常の作動モード時には、異常判断部３２に処理を行なわせるように切替える一方、試験モード時には、異常判断部３２ではなく、レベル判断部３３に処理を行なわせるように切替えることが可能に構成されている。
【００２９】
すなわち、このような構成では、試験モード時には、異常判断部３２ではなく、レベル判断部３３に処理を行なわせるように切替えるので、試験時（例えば、加煙試験時）の試験時間を短縮することが可能となる。なお、ここで、試験とは、物理量検出部３１，出力部３５などの試験，すなわち、感知器のハードウェア部分の試験を指している。
【００３０】
具体的に、切替部３４は、手動によって、異常判断部３２に処理を行なわせるのか、または、レベル判断部３３に処理を行なわせるのかを切替えることが可能に構成できる。あるいは、切替部３４は、所定の条件が満たされたときに、自動的に、異常判断部３２に処理を行なわせるのか、または、レベル判断部３３に処理を行なわせるのかを切替えることが可能に構成できる。
【００３１】
図３は図２の感知器において、異常判断部３２に処理を行なわせるのか、または、レベル判断部３３に処理を行なわせるのかを自動的に切替え可能に構成された感知器の一例を示す図である。図３の例では、この感知器３０には、さらに、切替部３４における切替えのタイミングを制御するタイミング制御部３６が設けられている。
【００３２】
ここで、タイミング制御部３６としては、例えば、所定のタイミング（具体的には、感知器３０の電源投入時、あるいは、受信機からの所定の信号（例えば復旧信号）入力時、あるいは、試験用治具などからの特定の伝送信号入力時）から所定の試験期間を計時する試験期間タイマーを用いることができ、この場合、切替部３４は、タイミング制御部（試験期間タイマー）３６によって計時される所定の試験期間中、レベル判断部３３に判断処理を行なわせるようになっている。
【００３３】
感知器３０の電源投入時に試験期間タイマー３６を動作させるときの処理は、具体的には、次のようにしてなされる。すなわち、感知器３０の電源が投入された時に試験期間タイマー３６を動作させ、切替部３４は、このタイマー３６がタイムアウトするまでの間を試験期間として設定し、感知器３０のモードを試験を行なわせるモードに切替える。すなわち、試験期間中は、切替部３４は、レベル判断部３３に処理を行なわせる。この場合、レベル判断部３３は、物理量検出部３１で検出された物理量（例えば煙濃度）が所定のレベル（例えば火災レベル）を超えたらすぐに例えば火災信号を出力する。
【００３４】
また、感知器３０に受信機から所定の信号（例えば復旧信号）が入力した時に感知器３０の試験期間タイマー３６を動作させるときの処理も同様にしてなされる。すなわち、感知器３０に受信機から所定の信号（例えば復旧信号）が入力した時に試験期間タイマー３６を動作させ、切替部３４は、このタイマー３６がタイムアウトするまでの間を試験期間として設定し、感知器３０のモードを試験を行なわせるモードに切替える。すなわち、試験期間中は、切替部３４は、レベル判断部３３に処理を行なわせる。この場合、レベル判断部３３は、物理量検出部３１で検出された物理量（例えば煙濃度）が所定のレベル（例えば火災レベル）を超えたらすぐに例えば火災信号を出力する。
【００３５】
また、感知器３０に試験用治具などから特定の伝送信号が入力された時に感知器の試験期間タイマー３６を動作させるときの処理も同様にしてなされる。すなわち、感知器３０に試験用治具などから特定の伝送信号が入力された時に試験期間タイマー３６を動作させ、切替部３４は、このタイマー３６がタイムアウトするまでの間を試験期間として設定し、感知器３０のモードを試験を行なわせるモードに切替える。すなわち、試験期間中は、切替部３４は、レベル判断部３３に処理を行なわせる。この場合、レベル判断部３３は、物理量検出部３１で検出された物理量（例えば煙濃度）が所定のレベル（例えば火災レベル）を超えたらすぐに例えば火災信号を出力する。
【００３６】
このように、試験（例えば加煙試験）を行なう時には、レベル判断部３３を使用し、異常判断アルゴリズム（火災判断アルゴリズム）を使用しないようにすることで、試験時（例えば、加煙試験時）に感知器がすぐに応答するので、試験時間を短縮することができる。そして、このような試験が終了すると、自動的に、異常判断アルゴリズム（火災判断アルゴリズム）が動作を開始する。
【００３７】
一般に、感知器（例えば煙感知器）を試験する場合、感知器にテストガス（例えばスプレー状のテストガス）を吹き付けて行なうが、この仕方で図１の感知器１を試験する場合、テストガスの粒径と湯気の粒径とがほぼ同程度であることから、図１の感知器１にテストガスを吹き付けると、性状判定部１２では▲３▼湯気と判定し、第２の監視部１３では、▲３▼湯気に応じた所定の監視期間Ｔ3（例えば２０秒間）にわたって監視を続けてしまい、試験を開始後、試験が終了するまでに（テストガスが吹き付けられてから結果が出力するまでに）、相当の時間を要してしまう。
【００３８】
これに対し、本発明では、上述したように、試験時には、切替部３４は、レベル判断部３３に処理を行なわせるよう切替え、レベル判断部３３において処理がなされるので、感知器に所定濃度以上のテストガスを吹き付けると、物理量検出部３１が正常である場合（故障でない場合）には、レベル判断部３３からはすぐに物理量が所定レベル以上である旨が出力され、例えば火災信号が即座に出力されて試験結果を迅速に得ることができる。
【００３９】
試験結果が得られた後は、切替部３４は、異常判断部３２に処理を行なわせるように切替え、異常判断部３２において処理がなされる。すなわち、異常判断部３２では、異常判断アルゴリズム（火災判断アルゴリズム）を用いて火災などの異常か否かの判断を行なう。
【００４０】
図４は図２または図３の感知器の具体例（オン・オフ型感知器）を示す図である。なお、図４の例では、図３におけるタイミング制御部３６は説明を簡単にするため図示が省略されている。
【００４１】
図４を参照すると、この感知器３０は、所定の監視条件で所定の物理量（例えば煙濃度）の監視を行なう第１の監視部１１と、第１の監視部１１で得られた所定の物理量（例えば煙濃度）に基づき異常（例えば火災）の性状（例えば火災性状）を判定する性状判定部１２と、性状判定部１２で得られた性状に応じた監視条件で異常（例えば火災）の性状に応じた監視を行なう第２の監視部１３と、第１の監視部１１で得られた所定の物理量（例えば煙濃度）のレベルが所定のレベルを超えたか否かを判断するレベル判断部３３と、性状判定部１２，第２の監視部１３に処理を行なわせるのか、または、レベル判断部３３に処理を行なわせるのかを切替える切替部３４と、第２の監視部１３からの監視結果、または、レベル判断部３３からの判断結果に応じた信号を出力する出力部１４とを備えている。
【００４２】
ここで、第１の監視部１１は、図２または図３の物理量検出部３１に対応し、また、性状判定部１２および第２の監視部１３は、異常判断アルゴリズム（例えば火災判断アルゴリズム）を用いて火災などの異常か否かを判断する図２または図３の異常判断部３２に対応している。
【００４３】
具体的に、第１の監視部１１としては、例えば、この感知器３０が例えば光散乱式煙感知器である場合、発光素子から２種の異なる波長λ1，λ2の光を出射させ、発光素子から出射される２種の異なる波長λ1，λ2の光の煙などによる散乱光を受光素子で受光するような構成のものにすることができる。なお、この場合、第１の監視部１１は、例えば、当初は１種の波長（例えばλ1）の光の煙などによる散乱光だけを受光素子で受光し、この光強度，すなわち所定の物理量（煙濃度）が所定レベル以上となったか否かを監視し、所定レベル以上となったときに、２種の異なる波長λ1，λ2の光の煙などによる散乱光を受光素子で受光するように、これを構成できる。
【００４４】
また、性状判定部１２は、第１の監視部１１から異なる２波長λ1，λ2の散乱光出力が出力されるときに、異なる２波長λ1，λ2の散乱光出力の比(２波長比)をとり、この２波長比が予め設定された値の範囲に入っているか否かを判定することで、異常の性状（上記例では、煙の性状）を判断するようになっている。
【００４５】
異常の性状の判定は、より具体的には、ある特定の粒子径範囲にある粒子の種類を２波長比から割り出すことによってなされ、これにより、異常の性状として、例えば、▲１▼火災煙、▲２▼タバコの煙、▲３▼湯気、▲４▼塵埃、▲５▼その他、のいずれであるかを判定することが可能となる。すなわち、例えば、２波長比から小さな粒径と判断された場合、これは、例えば、▲１▼火災煙、であると判定され、また、２波長比から大きな粒径と判断された場合、これは、例えば、▲３▼湯気、であると判定されるようになっている。
【００４６】
そして、第２の監視部１３は、より具体的には、▲１▼火災煙、▲２▼タバコの煙、▲３▼湯気、▲４▼塵埃、▲５▼その他、に応じた監視（例えば、性状▲１▼，▲２▼，▲３▼，▲４▼，▲５▼に応じた監視期間Ｔ1，Ｔ2，Ｔ3，Ｔ4，Ｔ5での監視）を行なうようになっている。
【００４７】
例えば、性状判定部１２で性状として、▲１▼火災煙が得られた場合には、第２の監視部１３は、ノイズでないことだけを確認して、すぐに（監視期間を短時間にして）、▲１▼火災煙であることを出力部１４に与えるようになっている。
【００４８】
また、例えば、性状判定部１２で性状として、▲３▼湯気が得られた場合には、第２の監視部１３は、所定の監視期間Ｔ3（例えば２０秒間）にわたって、例えば粒子濃度が所定レベルを越えている状態が持続しているか否かを判断し、所定の監視期間Ｔ3（例えば２０秒間）の間、例えば粒子濃度が所定レベルを越えている状態が持続している場合には、環境異常（例えば火災）の信号を監視結果として出力部１４に与え、また、所定の監視期間Ｔ3（例えば２０秒間）の間で、例えば粒子濃度が所定レベルを越えている状態が持続しない場合（例えば、１０秒間でレベルが低下してしまった場合）には、環境異常はないとして（例えば非火災として）出力部１４には監視結果を送らないようになっている。
【００４９】
このように、第２の監視部１３は、例えば、性状▲１▼，▲２▼，▲３▼，▲４▼，▲５▼に応じて監視期間（監視条件）Ｔ1，Ｔ2，Ｔ3，Ｔ4，Ｔ5を変え、ある性状が得られたとき、この性状に応じた監視期間にわたって粒子濃度が所定レベルを越えている状態が持続しているか否かに基づき、監視結果を出力部１４に送るか、監視結果を出力部１４には送らないようになっている。
【００５０】
一方、レベル判断部３３は、第１の監視部１１からの例えば１種の波長（例えばλ1）の光の煙などによる散乱光出力（光強度）すなわち、煙濃度などの物理量が、所定のレベル以上となったか否かを判断し、その判断結果を出力するようになっている。
【００５１】
また、出力部１４は、切替部３４が性状判定部１２，第２の監視部１３に処理を行なわせるように切替えているときには、第２の監視部１３からの監視結果に応じた信号を受信機２に向けて出力するようになっている。具体的に、出力部１４は、第２の監視部１３から監視結果が送られた場合にのみ、Ｌ，Ｃ線路間のインピーダンスを低下させて（オン状態にして）、受信機２に通知し、監視結果が送られない場合（非火災の場合）は、Ｌ，Ｃ線路間のインピーダンスを高インピーダンスの状態（オフ状態）に保持するようになっている。
【００５２】
一方、切替部３４が、レベル判断部３３に処理を行なわせるように切替えているときには、出力部１４は、レベル判断部３３からの判断結果に応じた信号を受信機２に向けて出力する。具体的に、出力部１４は、レベル判断部３３からの判断結果が所定のレベル以上である場合には、Ｌ，Ｃ線路間のインピーダンスを低下させて（オン状態にして）、受信機２に通知し、また、レベル判断部３３からの判断結果が所定のレベル以下である場合には、Ｌ，Ｃ線路間のインピーダンスを高インピーダンスの状態（オフ状態）に保持するようになっている。
【００５３】
このような構成では、切替部３４は、通常の作動モード時には、性状判定部１２，第２の監視部１３に処理を行なわせるように切替える一方、試験時には、性状判定部１２，第２の監視部１３ではなく、レベル判断部３３に処理を行なわせるように切替えることが可能となっている。すなわち、このような構成では、試験時には、性状判定部１２，第２の監視部１３ではなく、レベル判断部３３に処理を行なわせるように切替えるので、試験時間を短縮することが可能となる。
【００５４】
なお、図４の感知器（オン・オフ型感知器）３０では、この感知器自体に例えば火災／非火災の判断機能が備わっているので、Ｐ型受信機２としては、蓄積機能を備えたものでなくても良い。
【００５５】
しかしながら、Ｐ型受信機２からのＬ，Ｃ線路に、火災／非火災の判断機能を備えたオン・オフ型感知器とともに、火災／非火災の判断機能を備えていないオン・オフ型感知器が混在して接続される場合には、火災／非火災の判断機能を備えていないオン・オフ型感知器による誤報を低減するため、Ｐ型受信機２には、蓄積機能を有しているＰ型蓄積式受信機が用いられる。
【００５６】
図５はＰ型蓄積式受信機の動作（特に蓄積機能）を説明するための図である。図５を参照すると、オン・オフ型感知器から１番目の感知器信号（オン状態である旨の信号）Ｒ1がＰ型蓄積式受信機に通知されると（図５(ａ)）、Ｐ型蓄積式受信機は、この１番目の感知器信号Ｒ1によってすぐに警報等を出力するのではなく、オン・オフ型感知器から２番目の感知器信号Ｒ2が通知されるのを待つ。すなわち、オン・オフ型感知器から１番目の感知器信号（オン状態である旨の信号）Ｒ1がＰ型蓄積式受信機に通知されると（図５(ａ)）、Ｐ型蓄積式受信機は、復旧信号Ｑをオン・オフ型感知器に与え、オン・オフ型感知器をリセットする（図５(ｂ)）。これにより、オン・オフ型感知器では、感知動作を開始する。そして、Ｐ型蓄積式受信機では、復旧信号Ｑを出力した後、所定の期間Ｔ内にオン・オフ型感知器から２番目の感知器信号Ｒ2が通知されたか否かを監視し、所定の期間Ｔ内に２番目の感知器信号Ｒ2の通知があったときに、初めて、異常（例えば火災）が発生したと判断し、警報等を出力する。これに対し、所定の期間Ｔ内に２番目の感知器信号Ｒ2の通知がなかった場合には、１番目の感知器信号Ｒ1が通知されていても、異常（例えば火災）が発生したとは判断せず、警報等を出力しない。このように、Ｐ型受信機に蓄積機能をもたせることによって、誤報を軽減することができる。
【００５７】
Ｐ型受信機２に上記のようなＰ型蓄積式受信機が用いられる場合、図４のオン・オフ型感知器３０においても、例えば、火災であるときには、１番目の感知器信号（オン状態を示す信号）Ｒ1をＰ型蓄積式受信機２に通知し、Ｐ型蓄積式受信機２からの復旧信号Ｑによってリセットされた後、所定の期間Ｔ（例えば４０秒の期間）内に２番目の感知器信号Ｒ2をＰ型蓄積式受信機２に通知する必要がある。
【００５８】
しかしながら、図４のオン・オフ型感知器３０では、Ｐ型受信機２から復旧信号Ｑが出力され、感知器３０がリセットされたとき、感知器３０は、再び、第１の監視部１１，性状判定部１２，第２の監視部１３，出力部１４の処理を順次に行なうので、出力部１４から２番目の感知器信号Ｒ2が出力されるまでに、上記所定の期間Ｔ（例えば４０秒の期間）を経過してしまうことがあるという問題があった。
【００５９】
図６は図２または図３の感知器の他の具体例（オン・オフ型感知器）を示す図であり、図６のオン・オフ型感知器３０は、異常判断の機能（例えば火災／非火災の判断を行なう機能）を備えたオン・オフ型感知器であって、これをＰ型蓄積式受信機に接続する場合にも、異常（例えば火災）と判断したときに所定の期間内に２番目の感知器信号を確実にＰ型蓄積式受信機に通知することが可能に構成されている。なお、図６の例では、図３におけるタイミング制御部３６は説明を簡単にするため図示が省略されている。また、図６において、図４と同様の箇所には、同じ符号を付している。
【００６０】
図６を参照すると、この感知器３０は、所定の監視条件で所定の物理量の監視を行なう第１の監視部１１と、第１の監視部１１で得られた所定の物理量に基づき異常（例えば火災）の性状（例えば火災性状）を判定する性状判定部１２と、性状判定部１２で得られた性状に応じた監視条件で異常（例えば火災）の性状に応じた監視を行なう第２の監視部１３と、第１の監視部１１で得られた所定の物理量（例えば煙濃度）のレベルが所定のレベルを超えたか否かを判断するレベル判断部３３と、性状判定部１２，第２の監視部１３に処理を行なわせるのか、または、レベル判断部３３に処理を行なわせるのかを切替える切替部３４と、第２の監視部１３からの監視結果、または、レベル判断部３３からの判断結果に応じた信号を出力する出力部１４と、性状判定部１２で得られた性状を記憶する性状記憶部１５と、受信機２から復旧信号Ｑが出力されたときに、性状記憶部１５に記憶されている性状を読出す読出部１６と、読出部１６で読出された性状に応じた監視条件で、この性状に応じた監視を行なう第３の監視部１７と、第３の監視部１７からの監視結果に基づく信号Ｒ2を受信機２に向けて出力する再出力部１８とを備えている。
【００６１】
ここで、図６の第１の監視部１１，性状判定部１２，第２の監視部１３，出力部１４は、図４の第１の監視部１１，性状判定部１２，第２の監視部１３，出力部１４と全く同様の機能を有している。
【００６２】
一方、図６の感知器３０では、性状判定部１２で得られた性状を性状記憶部１５に記憶するようになっている。例えば、性状判定部１２で得られた性状が▲１▼火災煙、である場合には、性状記憶部１５には、▲１▼火災煙が記憶され、また、性状判定部１２で得られた性状が▲３▼湯気、である場合には、性状記憶部１５には、▲３▼湯気が記憶されるようになっている。なお、ここで、性状記憶部１５は、例えば、不揮発性メモリにより構成されている。
【００６３】
そして、図６の感知器３０では、Ｐ型受信機２から復旧信号Ｑを受信するとき、読出部１６は、性状記憶部１５に記憶されている性状を読出すようになっている。すなわち、図６の感知器３０の出力部１４からの出力（信号Ｒ1）がオン状態であることをＰ型受信機２が受信し、Ｐ型受信機２からこの感知器３０に復旧信号Ｑが与えられると、読出部１６は、性状記憶部１５に記憶されている性状を読出すようになっている。
【００６４】
具体的に、性状記憶部１５に性状として、▲１▼火災煙、が記憶されている場合には、読出部１６は、Ｐ型受信機２から復旧信号Ｑを受けると、性状記憶部１５から▲１▼火災煙、を読出すことができ、また、性状記憶部１５に性状として、▲３▼湯気、が記憶されている場合には、読出部１６は、Ｐ型受信機２から復旧信号Ｑを受けると、性状記憶部１５から▲３▼湯気、を読出すことができる。
【００６５】
そして、第３の監視部１７は、読出部１６で読出された性状に応じた監視条件で、この性状に応じた監視を行なうようになっている。この第３の監視部１７も、基本的には、第２の監視部１３と同様の監視を行なうようになっている。すなわち、第３の監視部１７は、例えば、性状▲１▼，▲２▼，▲３▼，▲４▼，▲５▼に応じて監視期間（監視条件）Ｔ1’，Ｔ2’，Ｔ3’，Ｔ4’，Ｔ5’を変え、ある性状が得られたとき、この性状に応じた監視期間にわたって粒子濃度が所定レベルを越えている状態が持続しているか否かに基づき、監視結果を出力部１４に送るか、監視結果を出力部１４には送らないようになっている。
【００６６】
しかしながら、第３の監視部１７においては、監視期間（監視条件）をＴ1’，Ｔ2’，Ｔ3’，Ｔ4’，Ｔ5’とする点で、第２の監視部１３と監視期間（監視条件）を異にしている。ここで、第３の監視部１７における監視期間（監視条件）Ｔ1’，Ｔ2’，Ｔ3’，Ｔ4’，Ｔ5’は、第２の監視部１３における監視期間（監視条件）Ｔ1，Ｔ2，Ｔ3，Ｔ4，Ｔ5よりも短かく設定されている（Ｔ1’≦Ｔ1；Ｔ2’≦Ｔ2；Ｔ3’≦Ｔ3；Ｔ4’≦Ｔ4；Ｔ5’≦Ｔ5）。
【００６７】
第３の監視部１７は、より具体的には、▲１▼火災煙、▲２▼タバコの煙、▲３▼湯気、▲４▼塵埃、▲５▼その他、に応じた監視（例えば、性状▲１▼，▲２▼，▲３▼，▲４▼，▲５▼に応じた監視期間Ｔ1’，Ｔ2’，Ｔ3’，Ｔ4’，Ｔ5’での監視）を行なうようになっている。
【００６８】
例えば、読出部１６で読出された性状が、▲１▼火災煙である場合には、第３の監視部１７は、ノイズでないことだけを確認して、すぐに（監視期間を短時間にして）、▲１▼火災煙であることを再出力部１８に与えるようになっている。
【００６９】
また、例えば、読出部１６で読出された性状が、▲３▼湯気である場合には、第３の監視部１７は、所定の監視期間Ｔ3’（例えば１０秒間）にわたって、例えば粒子濃度が所定レベルを越えている状態が持続しているか否かを判断し、所定の監視期間Ｔ3’（例えば1０秒間）の間、例えば粒子濃度が所定レベルを越えている状態が持続している場合には、環境異常（例えば火災）の信号を監視結果として再出力部１８に与え、また、所定の監視期間Ｔ3’（例えば１０秒間）の間で、例えば粒子濃度が所定レベルを越えている状態が持続しない場合（例えば、５秒間でレベルが低下してしまった場合）には、環境異常はないとして（例えば非火災として）再出力部１８には監視結果を送らないようになっている。
【００７０】
そして、再出力部１８は、第３の監視部１７から監視結果が送られた場合に信号Ｒ2を受信機２に向けて出力するようになっている。具体的に、再出力部１８は、第３の監視部１７から監視結果が送られた場合にのみ、Ｌ，Ｃ線路間のインピーダンスを低下させて（オン状態にして）、受信機２に通知し、監視結果が送られない場合（非火災の場合）は、Ｌ，Ｃ線路間のインピーダンスを高インピーダンスの状態（オフ状態）に保持するようになっている。
【００７１】
このように、図６の感知器３０では、受信機２から復旧信号Ｑが与えられたとき、性状記憶部１５に記憶されている直前の性状を直接読出して第３の監視部１７にすぐに与えるようになっている。換言すれば、図４の感知器３０の構成では、受信機２から復旧信号Ｑが与えられたとき、再び第１の監視部１１に戻って第１の監視部１１，性状判定部１２，第２の監視部１３の処理を順次に行なうが、図６の感知器３０では、受信機２から復旧信号Ｑを受信したときに図４の感知器３０における第１の監視部１１，性状判定部１２の処理を省略することができ (受信機２の蓄積動作のために感知器３０に復旧信号Ｑによるリセットがかかっても、感知器３０は直前の性状を取得することができ、第１の監視部１１，性状判定部１２で再評価する必要がなくなるので）、図４の感知器３０における第１の監視部１１，性状判定部１２の処理に要する時間Ｔxを省くことができる（再作動時間が長くならずに済む）。例えば、図４の感知器３０における第１の監視部１１，性状判定部１２の処理に要する時間Ｔxが１０秒であるとするとき、図６の感知器３０では、受信機２から復旧信号Ｑが入力してから再出力部１８より２番目の感知器信号Ｒ2が出力されるまでに要する時間をＴx（＝１０秒）だけ短縮することができる。
【００７２】
さらに、図６の感知器３０では、第３の監視部１７における監視期間（監視条件）Ｔ1’，Ｔ2’，Ｔ3’，Ｔ4’，Ｔ5’は、第２の監視部１３における監視期間（監視条件）Ｔ1，Ｔ2，Ｔ3，Ｔ4，Ｔ5よりも短かく設定されている（Ｔ1’≦Ｔ1；Ｔ2’≦Ｔ2；Ｔ3’≦Ｔ3；Ｔ4’≦Ｔ4；Ｔ5’≦Ｔ5）ので、受信機２から復旧信号Ｑを受信したとき、図４の感知器３０の第２の監視部１３における監視処理よりも短かい時間で、第３の監視部１７における監視処理を行なうことができる。具体的に、第３の監視部１７は、第２の監視部１３よりも監視処理に要する時間をＴyだけ短縮することができる。
【００７３】
このように、図６の感知器３０では、図４の感知器３０に比べて、受信機２から復旧信号Ｑが入力してから再出力部１８より２番目の感知器信号Ｒ2が出力されるまでに要する時間を（Ｔx＋Ｔy）だけ短縮することができる。
【００７４】
これにより、Ｐ型受信機２に、図５に示したような動作を行なうＰ型蓄積式受信機が用いられる場合にも、図６の感知器３０においては、Ｐ型蓄積式受信機２からの復旧信号Ｑを受けた後、所定の期間Ｔ（例えば４０秒の期間）内に２番目の感知器信号Ｒ2をＰ型蓄積式受信機２に確実に通知することができる。
【００７５】
一方、図６の感知器３０においても、レベル判断部３３は、第１の監視部１１からの例えば１種の波長（例えばλ1）の光の煙などによる散乱光出力（光強度）すなわち、煙濃度などの物理量が、所定のレベル以上となったか否かを判断し、その判断結果を出力するようになっている。
【００７６】
また、出力部１４は、切替部３４が性状判定部１２，第２の監視部１３に処理を行なわせるように切替えているときには、第２の監視部１３からの監視結果に応じた信号を受信機２に向けて出力するようになっている。具体的に、出力部１４は、第２の監視部１３から監視結果が送られた場合にのみ、Ｌ，Ｃ線路間のインピーダンスを低下させて（オン状態にして）、受信機２に通知し、監視結果が送られない場合（非火災の場合）は、Ｌ，Ｃ線路間のインピーダンスを高インピーダンスの状態（オフ状態）に保持するようになっている。
【００７７】
一方、切替部３４が、レベル判断部３３に処理を行なわせるように切替えているときには、出力部１４は、レベル判断部３３からの判断結果に応じた信号を受信機２に向けて出力する。具体的に、出力部１４は、レベル判断部３３からの判断結果が所定のレベル以上である場合には、Ｌ，Ｃ線路間のインピーダンスを低下させて（オン状態にして）、受信機２に通知し、また、レベル判断部３３からの判断結果が所定のレベル以下である場合には、Ｌ，Ｃ線路間のインピーダンスを高インピーダンスの状態（オフ状態）に保持するようになっている。
【００７８】
このような構成では、切替部３４は、通常の作動モード時には、性状判定部１２，第２の監視部１３に処理を行なわせるように切替える一方、試験時には、性状判定部１２，第２の監視部１３ではなく、レベル判断部３３に処理を行なわせるように切替えることが可能となっている。すなわち、このような構成では、試験時には、性状判定部１２，第２の監視部１３ではなく、レベル判断部３３に処理を行なわせるように切替えるので、試験時間を短縮することが可能となる。
【００７９】
なお、図６の構成例では、出力部１４と再出力部１８とが別々に設けられているが、出力部１４と再出力部１８とを１つにまとめて、出力部とすることもできる。
【００８１】
図７は図２または図３の感知器３０のハードウェア構成例を示す図である。図７の例では、この感知器は、煙濃度などの物理量を検出して電気信号(アナログ信号)に変換する物理量検出部３１と、該物理量検出部３１から出力されるアナログ信号を所定の周期でサンプルしてデジタル信号に変換するＡ／Ｄ変換部４２と、この感知器のアドレスが設定されるアドレス部４３と、異常(例えば火災)判断などの感知器全体の制御を行なうＣＰＵ４４と、ＣＰＵ４４の制御プログラムなどが格納されるＲＯＭ４５と、各種のワークエリアなどとして使用されるＲＡＭ４６と、不揮発性メモリ４７と、物理量検出部３１で検出されＡ／Ｄ変換部４２でデジタル信号に変換された物理量(例えば煙濃度)の検出結果(Ａ／Ｄ変換部４２からの出力レベル)に基づいてＣＰＵ４４が火災などの異常と判断したときに、作動状態(オン状態)を表わす信号を伝送路(例えばＬ，Ｃ線路)３に出力する状態出力部４８と、例えば受信機２との間で伝送路３を介した伝送を行なう伝送部(通信インタフェース部)４９とを備えている。
【００８２】
換言すれば、図７の例の感知器は、所謂センサアドレス用感知器(その検出出力信号からすれば、オン・オフ型感知器に属する)として構成されている。そして、図７の構成において、ＣＰＵ４４によって図２，図３の異常判断部３２，レベル判断部３３，切替部３４，タイミング制御部３６の機能を実現することができる。また、状態出力部４８，伝送部４９によって図２，図３の出力部３５の機能を実現することができる。
【００８３】
なお、このような感知器は、例えば、監視制御システム(例えば防災システム)の一要素として、図７に示すように監視制御システム(例えば防災システム)に組込んで用いることができる。図７を参照すると、この監視制御システム(例えば防災システム)は、受信機(例えば、アドレッサブルなＰ型受信機)２と、受信機２によって監視制御される上記構成の感知器とを有している。
【００８４】
ここで、感知器は、受信機２から延びる所定の伝送路(例えば、Ｌ，Ｃ線路)３に接続されており、図７の例では、このシステムは、監視レベルを例えば伝送路３のＬ，Ｃ間の電位が２４Ｖのところに設定し、また、感知器の作動レベル(オンレベル)を例えばＬ，Ｃ間の電位が５Ｖのところに設定し、また、短絡レベルを例えばＬ，Ｃ間の電位が０Ｖのところに設定することができる。
【００８５】
このようなシステム構成に対応させて、図７の感知器の状態出力部４８は、この感知器の作動状態(オン状態)を表わす信号として、伝送路３のＬ，Ｃ間の電位をオンレベル５Ｖにするようになっている。
【００８６】
また、受信機２は、伝送路３に複数の感知器が接続されている場合、感知器のうち少なくとも１つの感知器が作動して(オンになって)、伝送路３のＬ，Ｃ間の電位がオンレベル５Ｖになったことを検知すると、アドレス検索パルスを感知器の短絡レベル(０Ｖ)とオンレベル(５Ｖ)の電位を利用して作成し、伝送路３を介して感知器に送出するようになっている。
【００８７】
図７の感知器の伝送部４９は、受信機２からのこのようなアドレス検索パルスを伝送路３，すなわちＬ，Ｃ線路を介して受信するように構成されており、伝送部４９でアドレス検索パルスを受信するとき、この感知器のＣＰＵ４４は、これまでに受信したアドレス検索パルスの個数を計数(カウント)し、この計数値(カウント値)がこの感知器のアドレス部４３に設定されているアドレスと一致するか否かを判断し、一致したときに、自己の感知器の状態(オン状態あるいはオフ状態)を伝送部４９に与え、これにより、伝送部４９は、例えば、自己の感知器の状態がオン状態のときにのみ、その旨の信号を伝送路３，すなわちＬ，Ｃ線路を介して受信機２に通知するようになっている。具体的に、伝送部４９は、アドレスが一致したときに、自己の感知器の状態がオン状態である旨の信号として、例えば伝送路３のＬ，Ｃ間の電位を所定期間、０Ｖに保持して(所定期間、短絡(ショート)状態に保持して)受信機２に伝送するようになっている。これにより、受信機２は、伝送路３のＬ，Ｃ間の電位が所定期間、０Ｖに保持された状態になったかを監視し、伝送路３のＬ，Ｃ間の電位が所定期間、０Ｖに保持された状態になったときに、このときまでに送出したアドレス検索パルスの個数に相当するアドレスをもつ感知器が作動状態(オン状態)にあると特定することができる。
【００８８】
図７の例では、感知器がセンサアドレス用感知器として構成されているとして説明したが、感知器としては、図２または図３の構成を備えたものであれば良く、任意のオン・オフ型煙感知器に適用することができる。従って、図７の構成例において、アドレス部４３などは、必ずしも設けられていなくとも良い。
【００８９】
また、感知器３０における異常判断部３２，レベル判断部３３，切替部３４，タイミング制御部３６の機能は、例えばソフトウェアパッケージ(具体的には、ＣＤ−ＲＯＭ等の情報記録媒体)の形で提供することができる。すなわち、本発明の異常判断部３２，レベル判断部３３，切替部３４，タイミング制御部３６の機能を実現するためのプログラム(すなわち、例えば、図７の感知器の場合、ＣＰＵ４４などで用いられるプログラム)は、可搬性の情報記録媒体に記録された状態で提供可能である。
【００９０】
この場合、感知器には、情報記録媒体を着脱自在に装着するための機構が設けられているのが良い。また、プログラムなどが記録される情報記録媒体としては、ＣＤ−ＲＯＭに限られるものではなく、ＲＯＭ，ＲＡＭ，フレキシブルディスク，メモリカード等が用いられても良い。情報記録媒体に記録されたプログラムは、この情報記録媒体が感知器に装着されるとき、感知器の記憶装置(例えば図７の構成の感知器では、ＲＡＭ４６)にインストールされることにより、このプログラムを実行して、本発明の異常判断部３２，レベル判断部３３，切替部３４，タイミング制御部３６の機能を実現することができる。
【００９１】
【発明の効果】
以上に説明したように、請求項１乃至請求項６記載の発明によれば、感知器が、所定の物理量を検出する物理量検出手段と、物理量検出手段で検出された物理量に基づき、異常の性状を判定する異常判断アルゴリズムを用いて異常か否かを判断する異常判断手段と、物理量検出手段で検出された物理量のレベルが所定のレベルを超えたか否かを判断するレベル判断手段と、異常判断手段に処理を行なわせるのか、または、レベル判断手段に処理を行なわせるのかを切替える切替手段とを有しており、感知器の試験時には、切替手段によってレベル判断手段に処理を行なわせるように切替えることによって、異常の性状を判定する異常判断アルゴリズムを用いた異常判断の機能（例えば火災／非火災の判断を行なう機能）を備えた感知器であっても、試験時の試験時間を短縮することができる。
【図面の簡単な説明】
【図１】異常（例えば火災／非火災）の判断を行なう機能を備えた感知器の構成例を示す図である。
【図２】本発明に係る感知器の構成例を示す図である。
【図３】図２の感知器の変形例を示す図である。
【図４】図２または図３の感知器の具体例（オン・オフ型感知器）を示す図である。
【図５】Ｐ型蓄積式受信機の動作（特に蓄積機能）を説明するための図である。
【図６】図２または図３の感知器の他の具体例（オン・オフ型感知器）を示す図である。
【図７】図２または図３の感知器のハードウェア構成例を示す図である。
【符号の説明】
２                  受信機
３                  伝送路
３０                感知器
３１                物理量検出部
３２                異常判断部
３３                レベル判断部
３４                切替部
３５                出力部
３６                タイミング制御部
１１                第１の監視部
１２                性状判定部
１３                第２の監視部
１４                出力部
１５                性状記憶部
１６                読出部
１７                第３の監視部
１８                再出力部
４２                Ａ／Ｄ変換部
４３                アドレス部
４４                ＣＰＵ
４５                ＲＯＭ
４６                ＲＡＭ
４７                不揮発性メモリ
４８                状態出力部
４９                伝送部
【図１】
0003923239.tif 000002
【図２】
0003923239.tif 000003
【図３】
0003923239.tif 000004
【図４】
0003923239.tif 000005
【図５】
0003923239.tif 000006
【図６】
0003923239.tif 000007
【図７】
0003923239.tif 000008